【手続補正書】
【提出日】平成23年11月30日(2011.11.30)
【手続補正１】
【補正対象書類名】明細書
【補正対象項目名】００１３
【補正方法】変更
【補正の内容】
【００１３】
上記目的を達成するために、本発明の表示制御装置は、画像を表示する表示装置を制御する表示制御装置であって、前記表示装置に照射される外光の照度を検出する検出手段と、前記検出された外光の照度に対応する目標輝度値を取得する取得手段と、前記取得した目標輝度値に基づいて設定された輝度設定値になるように、前記表示装置の輝度を制御する制御手段とを備え、前記制御手段は、前記表示装置の表示内容が継続性を有する場合、前記目標輝度値の変更量に制限を加えて前記輝度設定値を設定し、一方、前記表示装置の表示内容が継続性なく切り替わる場合、前記目標輝度値の変更量に制限を加えることなく前記目標輝度値を前記輝度設定値として設定することを特徴とする。
【手続補正２】
【補正対象書類名】明細書
【補正対象項目名】００１４
【補正方法】変更
【補正の内容】
【００１４】
上記目的を達成するために、本発明の表示制御装置は、画像を表示する表示装置を制御する表示制御装置であって、前記表示装置に照射される外光の照度を検出する検出手段と、前記検出された外光の照度に対応する目標輝度値を取得する取得手段と、前記取得した目標輝度値に基づいて設定された輝度設定値になるように、前記表示装置の輝度を制御する制御手段とを備え、前記表示装置の表示内容が継続性なく切り替わるタイミングで、前記取得手段は、前記検出手段によって検出された外光の照度に基づき、前記目標輝度値を取得することを特徴とする。
【手続補正３】
【補正対象書類名】明細書
【補正対象項目名】００１５
【補正方法】変更
【補正の内容】
【００１５】
上記目的を達成するために、本発明の表示制御方法は、画像を表示する表示装置を制御する表示制御装置の表示制御方法であって、前記表示制御装置が、前記表示装置に照射される外光の照度を検出する検出ステップと、前記表示制御装置が、前記検出された外光の照度に対応する目標輝度値を取得する取得ステップと、前記表示制御装置が、前記取得した目標輝度値に基づいて設定された輝度設定値になるように、前記表示装置の輝度を制御する制御ステップとを有し、前記制御ステップでは、前記表示装置の表示内容が継続性を有する場合、前記目標輝度値の変更量に制限を加えて前記輝度設定値を設定し、一方、前記表示装置の表示内容が継続性なく切り替わる場合、前記目標輝度値の変更量に制限を加えることなく前記目標輝度値を前記輝度設定値として設定することを特徴とする。
【手続補正４】
【補正対象書類名】明細書
【補正対象項目名】００１６
【補正方法】変更
【補正の内容】
【００１６】
上記目的を達成するために、本発明の表示制御装置の表示制御方法は、画像を表示する表示装置を制御する表示制御装置の表示制御方法であって、前記表示制御装置が、前記表示装置に照射される外光の照度を検出する検出ステップと、前記表示制御装置が、前記検出された外光の照度に対応する目標輝度値を取得する取得ステップと、前記表示制御装置が、前記取得した目標輝度値に基づいて設定された輝度設定値になるように、前記表示装置の輝度を制御する制御ステップとを有し、前記表示装置の表示内容が継続性なく切り替わるタイミングで、前記取得ステップでは、前記検出ステップで検出された外光の照度に基づき、前記目標輝度値を取得することを特徴とする。
【手続補正５】
【補正対象書類名】特許請求の範囲
【補正対象項目名】全文
【補正方法】変更
【補正の内容】
【特許請求の範囲】
【請求項１】
画像を表示する表示装置を制御する表示制御装置であって、
前記表示装置に照射される外光の照度を検出する検出手段と、
前記検出された外光の照度に対応する目標輝度値を取得する取得手段と、
前記取得した目標輝度値に基づいて設定された輝度設定値になるように、前記表示装置の輝度を制御する制御手段とを備え、
前記制御手段は、前記表示装置の表示内容が継続性を有する場合、前記目標輝度値の変更量に制限を加えて前記輝度設定値を設定し、一方、前記表示装置の表示内容が継続性なく切り替わる場合、前記目標輝度値の変更量に制限を加えることなく前記目標輝度値を前記輝度設定値として設定することを特徴とする表示制御装置。
【請求項２】
前記取得手段は、所定の時間間隔おきに、前記検出手段によって検出された外光の照度に基づき、前記目標輝度値を演算し、
前記制御手段は、前記表示装置の表示内容が継続性を有する場合、前記演算された目標輝度値の変更量に上限値を設けて前記輝度設定値を設定することを特徴とする請求項１記載の表示制御装置。
【請求項３】
前記表示装置の表示内容が継続性なく切り替わるタイミングで、前記取得手段は、前記検出手段によって検出された外光の照度に基づき、前記目標輝度値を取得し、前記制御手段は、当該取得した目標輝度値を前記輝度設定値として設定することを特徴とする請求項１または２記載の表示制御装置。
【請求項４】
前記表示装置は、カメラに搭載され、前記カメラの動作モードに応じた画像を表示することを特徴とする請求項１〜３のいずれか１項に記載の表示制御装置。
【請求項５】
前記表示装置の表示内容が継続性なく切り替わる場合とは、撮影待機状態において、スイッチ操作が行われて表示内容が変化する場合であることを特徴とする請求項４記載の表示制御装置。
【請求項６】
前記表示装置の表示内容が継続性なく切り替わる場合とは、メニュー表示状態において、複数項目から選択すべき項目を変更する操作が行われた場合、または選択項目についての設定を行う画面に移行する場合であることを特徴とする請求項４記載の表示制御装置。
【請求項７】
前記表示装置の表示内容が継続性なく切り替わる場合とは、静止画再生状態において、スイッチ操作により表示画像が変化する場合であることを特徴とする請求項４記載の表示制御装置。
【請求項８】
前記表示装置の表示内容が継続性なく切り替わる場合とは、静止画オートプレイ状態において、静止画をコマ送りして自動的に切り替える場合であることを特徴とする請求項４記載の表示制御装置。
【請求項９】
前記表示装置の表示内容が継続性なく切り替わる場合とは、ライブビュー状態において、スイッチ操作により、ライブビュー画像上にスーパーインポーズされている表示がホワイトバランスモードの変更表示、撮影感度の変更表示および測距点の変更表示の間で変更になる場合であることを特徴とする請求項４記載の表示制御装置。
【請求項１０】
前記表示装置の表示内容が継続性なく切り替わる場合とは、動画記録状態において、スイッチ操作により、動画像上にスーパーインポーズされている表示がリアルタイムヒストグラム表示と選択測距点位置表示が変更になる場合であることを特徴とする請求項４記載の表示制御装置。
【請求項１１】
前記表示装置の表示内容が継続性なく切り替わる場合とは、動画プレイ状態において、動画像の再生中、動画記録中に行われた途中静止画撮影のタイミングに対応するタイミングに一定時間だけ黒表示を行う場合であることを特徴とする請求項４記載の表示制御装置。
【請求項１２】
前記表示装置の表示内容が継続性なく切り替わる場合とは、撮影確認用画像を表示した状態において、スイッチ操作により、前記撮影確認用画像上のスーパーインポーズ表示が変更される場合であることを特徴とする請求項４記載の表示制御装置。
【請求項１３】
前記表示装置の表示内容が継続性なく切り替わる場合とは、スイッチ操作により各状態間を移行する場合であることを特徴とする請求項４記載の表示制御装置。
【請求項１４】
画像を表示する表示装置を制御する表示制御装置であって、
前記表示装置に照射される外光の照度を検出する検出手段と、
前記検出された外光の照度に対応する目標輝度値を取得する取得手段と、
前記取得した目標輝度値に基づいて設定された輝度設定値になるように、前記表示装置の輝度を制御する制御手段とを備え、
前記表示装置の表示内容が継続性なく切り替わるタイミングで、前記取得手段は、前記検出手段によって検出された外光の照度に基づき、前記目標輝度値を取得することを特徴とする表示制御装置。
【請求項１５】
画像を表示する表示装置を制御する表示制御装置の表示制御方法であって、
前記表示制御装置が、前記表示装置に照射される外光の照度を検出する検出ステップと、
前記表示制御装置が、前記検出された外光の照度に対応する目標輝度値を取得する取得ステップと、
前記表示制御装置が、前記取得した目標輝度値に基づいて設定された輝度設定値になるように、前記表示装置の輝度を制御する制御ステップとを有し、
前記制御ステップでは、前記表示装置の表示内容が継続性を有する場合、前記目標輝度値の変更量に制限を加えて前記輝度設定値を設定し、一方、前記表示装置の表示内容が継続性なく切り替わる場合、前記目標輝度値の変更量に制限を加えることなく前記目標輝度値を前記輝度設定値として設定することを特徴とする表示制御方法。
【請求項１６】
画像を表示する表示装置を制御する表示制御装置の表示制御方法であって、
前記表示制御装置が、前記表示装置に照射される外光の照度を検出する検出ステップと、
前記表示制御装置が、前記検出された外光の照度に対応する目標輝度値を取得する取得ステップと、
前記表示制御装置が、前記取得した目標輝度値に基づいて設定された輝度設定値になるように、前記表示装置の輝度を制御する制御ステップとを有し、
前記表示装置の表示内容が継続性なく切り替わるタイミングで、前記取得ステップでは、前記検出ステップで検出された外光の照度に基づき、前記目標輝度値を取得することを特徴とする表示制御方法。